(57)【要約】【課題】視聴している放送について、その内容の記録媒体への記録を迅速に開始するとともに、番組単位に記録することによって、複数の番組を記録した場合でも、快適に記録媒体の記録を利用できるようにする。【解決手段】出力放送特定手段５と、放送番組情報取得手段６と、記録番組特定手段８と、番組終了検知手段９とを設け、記録の開始命令が発生したときに、出力放送特定手段が特定した放送の記録を開始して、さらに、番組終了検知手段の検知結果に基づいて、記録媒体に記録される放送の内容を番組単位に記録するようにした。【選択図】  図１
2004260350.tif 000002
【特許請求の範囲】
【請求項１】
放送内容記録装置が記録の開始命令を受けることによって、放送内容記録装置の制御手段は、放送受信手段が受信している放送の内容を記録媒体に記録することを、記録手段に開始させるとともに、放送されている複数の番組を記録媒体に記録させて、放送内容記録装置が記録の終了命令を受けることによって、放送内容記録装置の制御手段は、記録手段が行っている記録を終了させる放送内容記録方法であって、
記録の開始命令が発生したときに出力手段から出力されている放送を、上記制御手段が出力放送特定手段に特定させる出力放送特定ステップと、
出力放送特定ステップで特定された放送についての記録を、上記制御手段が記録手段に開始させる出力放送記録開始ステップと、
上記制御手段が、記録番組特定手段に、放送番組情報取得手段が取得する情報であって放送される番組についての情報である放送番組情報を用いて、記録中の放送における番組を特定させる記録番組特定ステップと、
放送番組情報を用いて、記録中の放送における番組の終了を、上記制御手段が番組終了検知手段に検知させる番組終了検知ステップと、
番組終了検知ステップの検知結果に基づいて、記録媒体に記録される放送の内容を、上記制御手段が、記録手段に番組単位に記録させる番組単位記録ステップとを含んでいることを特徴とする放送内容記録方法。
【請求項２】
上記制御手段は、記録手段に、放送の内容をファイルとして記録させて、
上記番組単位記録ステップにおいて、番組が終了した旨の検知結果を制御手段が受けたとき、制御手段は、その検知前まで記録していた放送の内容を１つのファイルとして保存させるとともに、その検知後の放送の内容を新たなファイルに記録させることを特徴とする、請求項１に記載の放送内容記録方法。
【請求項３】
上記制御手段は、放送番組情報取得手段に、上記放送番組情報として電子番組表の番組データを取得させ、
上記番組終了検知ステップでは、上記制御手段は、番組終了検知手段に、電子番組表の番組データを用いて番組の終了時間を認識させるとともに、番組の終了時間の到来により番組の終了を検知させることを特徴とする、請求項１に記載の放送内容記録方法。
【請求項４】
上記制御手段は、記録手段に、放送の内容をファイルとして記録させて、
ファイルとしての記録を開始した後に記録すべき放送が変更されたとき、
上記制御手段は、記録手段に、その変更時まで記録していた放送の内容を１つのファイルとして保存させるとともに、その変更後における放送の内容を新たなファイルに記録させることを特徴とする、請求項１に記載の放送内容記録方法。
【請求項５】
請求項１から４のいずれか１項に記載の放送内容記録方法を、コンピュータに実行させるための放送内容記録プログラム。
【請求項６】
請求項１から４のいずれか１項に記載の放送内容記録方法を、コンピュータに実行させるための放送内容記録プログラムを記録した、コンピュータ読み取り可能な記録媒体。
【請求項７】
放送を受信する放送受信手段と、
放送受信手段が受信している放送の内容を記録媒体に記録する記録手段とを有し、記録の開始命令によって、放送受信手段が受信している放送の内容を記録媒体に記録することを開始して、放送されている複数の番組を記録媒体に記録して、記録の終了命令によってその記録を終了する放送内容記録装置であって、
記録の開始命令が発生したときに、出力手段から出力されている放送を特定する出力放送特定手段と、
放送される番組についての情報である放送番組情報を取得する放送番組情報取得手段と、
上記放送番組情報を用いて、記録中の放送における番組を特定する記録番組特定手段と、
放送番組情報を用いて、記録中の放送における番組の終了を検知する番組終了検知手段とをさらに有し、
記録の開始命令が発生したときに、出力放送特定手段が特定した放送の記録を開始して、
番組終了検知手段の検知結果に基づいて、記録媒体に記録される放送の内容を、番組単位に記録することを特徴とする放送内容記録装置。
【請求項８】
放送の内容をファイルとして記録媒体に記録し、
上記番組単位の記録において、番組が終了した旨の検知結果を受けたとき、その検知前まで記録していた放送の内容を１つのファイルとして保存し、その検知後は、新たなファイルに放送の内容を記録することを特徴とする、請求項７に記載の放送内容記録装置。
【請求項９】
上記放送番組情報として電子番組表の番組データを取得し、
番組終了検知手段は、電子番組表の番組データを用いて番組の終了時間を認識し、番組の終了時間の到来により番組の終了を検知することを特徴とする、請求項７に記載の放送内容記録装置。
【請求項１０】
放送の内容をファイルとして記録媒体に記録し、
ファイルとしての記録を開始した後に、記録すべき放送が変更されたとき、
記録手段は、その変更時まで記録していた放送の内容を１つのファイルとして保存して、さらに、その変更後における放送の内容を、新たなファイルに記録することを特徴とする、請求項７に記載の放送内容記録装置。
【発明の詳細な説明】
【０００１】
【発明の属する技術分野】
本発明は、現在視聴している放送の内容を記録媒体に記録するとき、迅速に記録を開始して、さらに、番組単位に記録することができる放送内容記録方法と、放送内容記録装置とに関するものである。
【０００２】
【従来の技術】
放送信号の記録、例えばテレビジョン放送信号を録画する場合、既に、ビデオカセットテープのような磁気テープに記録する技術が普及している。そして、近年、上記のような磁気テープに記録するのではなく、磁気テープ以外の磁気記録媒体（例えばハードディスクなど）、または光ディスクに記録することが一般的になってきている。これらハードディスクおよび光ディスクといった記録媒体は、近年、ますます高密度化が図られ、長時間の記録が可能となってきている。
【０００３】
また、ハードディスクおよび光ディスクはランダムアクセスが可能であるため、これらの記録媒体を用いた録画装置では、このランダムアクセス性能を利用して、従来のビデオカセットテープでは実現が困難な機能が実現されている。例えば、記録媒体に記録された画像をファイル毎に編集しておき、先頭画面（例えばサムネール画面）やファイル名を表示して、そのサムネール画面やファイル名を視聴者が選択したときに、その選択に応じた再生を即座に開始する機能などが挙げられる。
【０００４】
ところで、上記のような録画装置では、タイマーによる録画を、電子番組ガイド（ＥＰＧ：Ｅｌｅｃｔｒｏｎｉｃ  Ｐｒｏｇｒａｍ  Ｇｕｉｄｅ）を利用して行うことが一般的である。電子番組ガイドを用いた、タイマーによる録画の設定方法としては、例えば、次のような方法が挙げられる。まず、録画装置が受信した電子番組ガイドの情報をディスプレイに表示する。このとき表示される表示内容としては、例えば、番組名などが挙げられる。視聴者は、表示された電子番組ガイドの情報を用いて所望の番組を選択することによって、視聴したい番組の録画の設定を迅速かつ確実に行うことができる。上記のようにすれば、現在よりも先に放送される番組のタイマーによる録画が可能となる。
【０００５】
一方、現在視聴している番組を即座に録画したい場合は、既に番組が開始されているため、電子番組ガイドによるタイマーの設定が不可能であるという問題点がある。もしくは、電子番組ガイドによるタイマーの設定が可能であっても、電子番組ガイドを表示させるには多くのデータを取得する必要があるため、タイマーによる録画の設定が完了するまでに少なからず時間がかかってしまい、録画の開始が遅れてしまうという問題点がある。
【０００６】
このため、録画の開始時間を遅らせることなく番組を録画する場合、視聴者は、録画ボタンを押す等により録画動作を開始させる必要がある。そして、所望の番組が終了した場合には、停止ボタンを押す等により録画動作を停止させることで録画を終了させる必要がある。つまり、タイマーが設定されていないので、視聴者が、所望の番組が終了したのを見計らって停止ボタンを操作するということが必須となる。
【０００７】
このように、現在視聴している番組を即座に録画したい場合は、上記のような面倒な操作をする必要がある。そのため、上記のような面倒な動作を行う必要がないように、視聴者が現在視聴している番組を即座に録画を開始し、自動的に番組が終了した時点で録画を終了させ、録画装置の電源をオフにする方法が提案されている（特許文献１参照）。
【０００８】
【特許文献１】
特開平１１−２６６４１１号公報（公開日：１９９９年９月２８日）
【０００９】
【発明が解決しようとする課題】
前述のように、近年、記録媒体が高密度化することで長時間の録画が可能となってきていることと、ランダムアクセスが可能であることとを利用して、視聴者は、次のような録画および再生が可能である。まず、視聴者は、見たい番組であるか否かの判断することなしに、番組の録画を開始する。そして、後ほど、番組の再生を行い、その番組を視聴するかどうかを判断して、視聴しない場合は、視聴しない部分を記録したデータを即座に消去する、といった視聴の仕方が可能である。
【００１０】
しかしながら、従来のように視聴者が録画を開始（例えば、録画ボタンを押すことによる録画の開始）して、適当な時間に録画を停止する方法の場合、録画が開始されてから停止するまでの間のデータは、記録媒体上では、１つのファイルとして記録される。例えば、図１２に示すように、番組Ａの途中から録画を開始し、番組Ｆの途中で録画を停止した場合、番組ＡからＦまでのデータが１つのファイルで構成される。このようなファイルを再生する場合において、サムネール画像やファイル名を選択して再生動作を行うと、ファイルの最初からデータの再生が行われる。例えば、図１２における番組Ａは既に視聴したため視聴しないで次の番組（番組Ｂ）を見たい場合、視聴者は、（１）番組Ａから順に再生して番組Ｂの開始を待つ、（２）番組Ａから再生を開始して番組Ｂが開始するまで早送りサーチ行う、のいずれかをしなければならない。上記（１）を行った場合は番組Ｂを見るまでに時間がかかり、（２）を行った場合は早送りサーチをするといった手間がかかる。つまり、いずれを行うにしても非常に面倒である。
【００１１】
また、上記特許文献１にて提案されている録画方法では、番組が終了した時点で録画を停止するため、１番組につき１ファイルとなる。よって、複数の番組を録画する、特に、ハードディスクなどを用いて複数の番組を長時間録画するような用途には、上記方法は適さない。
【００１２】
本発明は、上記従来の問題点に鑑みなされたものであって、その目的は、現在視聴している放送について、その内容の記録媒体への記録を迅速に開始するとともに、番組単位に記録することによって、複数の番組を記録した場合でも、快適に記録媒体の記録を利用することができる放送内容記録方法と放送内容記録装置とを提供することにある。
【００１３】
【課題を解決するための手段】
本発明の放送内容記録方法は、上記課題を解決するために、放送内容記録装置が記録の開始命令を受けることによって、放送内容記録装置の制御手段は、放送受信手段が受信している放送の内容を記録媒体に記録することを、記録手段に開始させるとともに、放送されている複数の番組を記録媒体に記録させて、放送内容記録装置が記録の終了命令を受けることによって、放送内容記録装置の制御手段は、記録手段が行っている記録を終了させる放送内容記録方法であって、記録の開始命令が発生したときに出力手段から出力されている放送を、上記制御手段が出力放送特定手段に特定させる出力放送特定ステップと、出力放送特定ステップで特定された放送についての記録を、上記制御手段が記録手段に開始させる出力放送記録開始ステップと、上記制御手段が、記録番組特定手段に、放送番組情報取得手段が取得する情報であって放送される番組についての情報である放送番組情報を用いて、記録中の放送における番組を特定させる記録番組特定ステップと、放送番組情報を用いて、記録中の放送における番組の終了を、上記制御手段が番組終了検知手段に検知させる番組終了検知ステップと、番組終了検知ステップの検知結果に基づいて、記録媒体に記録される放送の内容を、上記制御手段が、記録手段に番組単位に記録させる番組単位記録ステップとを含んでいることを特徴としている。
【００１４】
上記方法によれば、記録の開始命令が発生したときに、まず、出力放送特定手段は、出力手段から出力されている放送を特定する。そして、記録手段は、その特定された放送の記録を開始する。ここで言う記録の開始命令としては、例えば、記録装置に接続されている入力手段から、放送を開始する旨の入力がなされることが挙げられる。具体的には、視聴者が、放送を記録するために入力ボタンを押して、放送内容記録装置に指示を与えることなどが挙げられる。
【００１５】
次に、記録番組特定手段は、放送番組情報取得手段が取得する情報であって、放送される番組についての情報である放送番組情報を用いて、記録中の放送における番組を特定する。ここで言う「放送番組情報」とは、放送される番組を特定するための情報であって、例えば、放送を特定するための情報（例えば放送局名、放送の周波数、放送のチャンネルなど）、番組名、番組の開始日時、番組の継続時間（または番組の終了日時）、番組の進行状態などを含んでいる情報である。放送番組情報の具体例としては、電子番組ガイド（ＥＰＧ）などが挙げられる。
【００１６】
そして、記録中の放送における番組が終了したことを番組終了検知手段が検知したとき、記録手段は、記録媒体に記録される放送の内容を、番組単位に記録する。なお、ここで言う「番組単位に記録する」としては、例えば、下記の（ａ）または（ｂ）が挙げられる。
（ａ）１つの番組を、１つのファイルとして記録する。
（ｂ）記録媒体に記録された情報を利用するときに、番組毎の利用が容易となるような目印を、放送の内容とともに記録する。
【００１７】
上記（ｂ）の記録の例としては、次のような記録が挙げられる。まず、ファイルとして放送の内容を記録する場合においては、ファイル中にキーを設定することによって、目印を記録することが挙げられる。また、ファイルという概念が存在しない記録方法においては、番組の終了位置の検索を容易にするための目印を、記録媒体に記録することが挙げられる。
【００１８】
なお、上記「ファイル」とは、一つの単位として扱える関連したレコードの集合であって、保存の単位を意味するものとする。
【００１９】
また、記録中の放送における番組の終了を検知する方法としては、例えば、記録中の番組の特定と、その番組の終了時間の特定と、その番組の終了時間の到来を検出することとによって、番組の終了を検知することが挙げられる。具体的に言えば、例えば電子番組表などの番組データをあらかじめ取得しておき、その取得した番組データから番組の終了時間を認識して、終了時間になった時点で番組が終了したと判断することによって、記録中の番組の終了を検知することが挙げられる。しかし、本発明においては、このような検知方法に限定されず、例えば、上記放送番組情報として、直接、番組の終了を告げる信号を受けて、番組の終了を検知してもよい。
【００２０】
その結果、現在視聴している放送について、その内容の記録媒体への記録を迅速に開始するとともに、番組単位に記録することによって、複数の番組を記録した場合でも、快適に記録媒体の記録を利用することができる放送内容記録方法を提供することができる。例えば、番組毎に頭出し再生をする、番組毎に記録内容を編集するといった利用が容易になる。
【００２１】
なお、上記「放送」は、特に限定されるものではなく、例えば、出力手段から音声を出力することができる放送（例えばラジオ放送）、出力手段から画像を出力することができる放送、出力手段から音声および画像の両方を出力することができる放送（例えばテレビ放送）を含むものとする。
【００２２】
また、放送の内容を記録媒体に記録する場合、記録媒体の記録を再生したときに、出力手段から出力するための情報を記録媒体に記録するものとする。もちろん、放送受信時に受信する情報のうち、音声または画像の出力（再生）には必ずしも必要ではない情報、例えば、番組のジャンルを示す情報なども、適宜、記録媒体に記録してもよい。なお、出力手段から音声と画像との両方を出力可能な放送の内容を記録する場合は、音声および画像のうちの少なくとも１つを出力（再生）するための情報を記録するものとし、もちろん、音声および画像の両方を出力（再生）することができるように記録してもよい。
【００２３】
また、本発明の放送内容記録方法は、上記方法に加えて、上記制御手段は、記録手段に、放送の内容をファイルとして記録させて、上記番組単位記録ステップにおいて、番組が終了した旨の検知結果を制御手段が受けたとき、制御手段は、その検知前まで記録していた放送の内容を１つのファイルとして保存させるとともに、その検知後の放送の内容を新たなファイルに記録させることを特徴としている。
【００２４】
上記方法によれば、例えば、記録の終了時間が入力されずに記録が開始され、記録停止もしくは中止の命令が発生するまでの間に、複数の番組が記録される場合であっても、上記放送番組情報を基に、番組毎に異なるファイルとして保存する。つまり、番組毎にファイルを分割して保存する。
【００２５】
その結果、上記効果に加えて、記録媒体に記録されている内容を番組毎に利用することが、極めて容易となる。例えば、番組毎にファイルが構成されているので、視聴者は、記録した番組を視聴する場合、ファイル毎に、容易に記録したデータの再生ができる。すなわち、記録した番組を容易に頭出して視聴することができる。
【００２６】
さらに、ファイルは既に番組毎に編集されているため、ファイルを番組毎に管理することが容易となる。例えば、記録された番組のファイルを、番組のジャンル別（例えば、音楽番組、スポーツ番組、ニュース番組などのジャンル）に管理することなども容易となる。もちろん、ファイルとして放送の内容が記録されており、さらに、番組毎にファイルが構成されているため、例えば、サーバで上記管理をすることも容易となる。
【００２７】
また、本発明の放送内容記録方法は、上記方法に加えて、上記制御手段は、放送番組情報取得手段に、上記放送番組情報として電子番組表の番組データを取得させ、上記番組終了検知ステップでは、上記制御手段は、番組終了検知手段に、電子番組表の番組データを用いて番組の終了時間を認識させるとともに、番組の終了時間の到来により番組の終了を検知させることを特徴としている。
【００２８】
上記方法によれば、上記放送番組情報として、電子番組表の番組データを取得する。電子番組表の番組データを取得して番組の終了を検知する方法としては、例えば、あらかじめ電子番組表から番組データを取得しておき、その取得した番組データから終了時間を認識して、該終了時間になった時点で番組の終了を検知するという方法が挙げられる。
【００２９】
その結果、上記効果に加えて、視聴者は、番組の終了時間を気にすることなく、複数の番組について、放送の内容を記録することができる。
【００３０】
また、本発明の放送内容記録方法は、上記方法に加えて、上記制御手段は、記録手段に、放送の内容をファイルとして記録させて、ファイルとしての記録を開始した後に記録すべき放送が変更されたとき、上記制御手段は、記録手段に、その変更時まで記録していた放送の内容を１つのファイルとして保存させるとともに、その変更後における放送の内容を新たなファイルに記録させることを特徴としている。
【００３１】
上記方法によれば、記録すべき放送を変更した場合、その変更がなされた時点でファイルを分割する。その結果、上記効果に加えて、記録したい番組を記録の途中で視聴者が変更した場合においても、上記のようにファイルが分割されているので、記録後に容易にデータを視聴することができる。
【００３２】
なお、ここで言う「記録すべき放送を変更した場合」としては、例えば、放送内容記録装置が記録のために選択している放送を、視聴者が変更した場合などが挙げられる。
【００３３】
また、本発明の放送内容記録プログラムは、上記に記載の放送内容記録方法を、コンピュータに実行させるためのプログラムである。
【００３４】
上記構成によれば、記録の開始命令が発生したときに、まず、出力放送特定手段は、出力手段から出力されている放送を特定する。そして、記録手段は、その特定された放送の記録を開始する。次に、記録番組特定手段は、放送番組情報取得手段が取得する情報であって、放送される番組についての情報である放送番組情報を用いて、記録中の放送における番組を特定する。そして、記録中の放送における番組が終了したことを番組終了検知手段が検知したとき、記録手段は、記録媒体に記録される放送の内容を、番組単位に記録する。
【００３５】
その結果、現在視聴している放送について、その内容の記録媒体への記録を迅速に開始するとともに、番組単位に記録することによって、複数の番組を記録した場合でも、快適に記録媒体の記録を利用することができる放送内容記録プログラムを提供することができる。
【００３６】
また、本発明のコンピュータ読み取り可能な記録媒体は、上記に記載の放送内容記録方法を、コンピュータに実行させるための放送内容記録プログラムを記録した記録媒体である。
【００３７】
上記構成によれば、記録の開始命令が発生したときに、まず、出力放送特定手段は、出力手段から出力されている放送を特定する。そして、記録手段は、その特定された放送の記録を開始する。次に、記録番組特定手段は、放送番組情報取得手段が取得する情報であって、放送される番組についての情報である放送番組情報を用いて、記録中の放送における番組を特定する。そして、記録中の放送における番組が終了したことを番組終了検知手段が検知したとき、記録手段は、記録媒体に記録される放送の内容を、番組単位に記録する。
【００３８】
その結果、現在視聴している放送について、その内容の記録媒体への記録を迅速に開始するとともに、番組単位に記録することによって、複数の番組を記録した場合でも、快適に記録媒体の記録を利用することができる、コンピュータ読み取り可能な記録媒体を提供することができる。
【００３９】
また、本発明の放送内容記録装置は、放送を受信する放送受信手段と、放送受信手段が受信している放送の内容を記録媒体に記録する記録手段とを有し、記録の開始命令によって、放送受信手段が受信している放送の内容を記録媒体に記録することを開始して、放送されている複数の番組を記録媒体に記録して、記録の終了命令によってその記録を終了する放送内容記録装置であって、記録の開始命令が発生したときに、出力手段から出力されている放送を特定する出力放送特定手段と、放送される番組についての情報である放送番組情報を取得する放送番組情報取得手段と、上記放送番組情報を用いて、記録中の放送における番組を特定する記録番組特定手段と、放送番組情報を用いて、記録中の放送における番組の終了を検知する番組終了検知手段とをさらに有し、記録の開始命令が発生したときに、出力放送特定手段が特定した放送の記録を開始して、番組終了検知手段の検知結果に基づいて、記録媒体に記録される放送の内容を、番組単位に記録することを特徴としている。
【００４０】
上記構成によれば、記録の開始命令が発生したときに、まず、出力放送特定手段は、出力手段から出力されている放送を特定する。そして、記録手段は、その特定された放送の記録を開始する。次に、記録番組特定手段は、放送番組情報を用いて、記録中の放送における番組を特定する。そして、記録中の番組が終了したことを番組終了検知手段が検知したとき、記録手段は、記録媒体に記録される放送の内容を、番組単位に記録する。
【００４１】
その結果、現在視聴している放送について、その内容の記録媒体への記録を迅速に開始するとともに、番組単位に記録することによって、複数の番組を記録した場合でも、快適に記録媒体の記録を利用することができる放送内容記録装置を提供することができる。
【００４２】
また、本発明の放送内容記録装置は、上記構成に加えて、放送の内容をファイルとして記録媒体に記録し、上記番組単位の記録において、番組が終了した旨の検知結果を受けたとき、その検知前まで記録していた放送の内容を１つのファイルとして保存し、その検知後は、新たなファイルに放送の内容を記録することを特徴としている。
【００４３】
上記構成によれば、例えば、記録の終了時間が入力されずに記録が開始され、記録停止もしくは中止の命令が発生するまでの間に、複数の番組が記録される場合であっても、上記放送番組情報を基に、番組毎に異なるファイルとして保存する。つまり、番組毎にファイルを分割して保存する。
【００４４】
その結果、上記効果に加えて、記録媒体に記録されている内容を番組毎に利用することが、極めて容易となる。具体的に言えば、番組毎にファイルが構成されているので、視聴者が記録した番組を視聴する場合、ファイル毎に、容易に録画したデータの視聴をすることができる。言い換えれば、録画した番組を容易に頭出して視聴することができるという効果がある。
【００４５】
さらに、ファイルは既に番組毎に編集されているため、ファイルを番組毎に管理することが容易となる。さらに、番組毎にファイルが構成されているため、例えば、サーバで上記管理をすることも容易となる。
【００４６】
また、本発明の放送内容記録装置は、上記構成に加えて、上記放送番組情報として電子番組表の番組データを取得し、番組終了検知手段は、電子番組表の番組データを用いて番組の終了時間を認識し、番組の終了時間の到来により番組の終了を検知することを特徴としている。
【００４７】
上記構成によれば、上記放送番組情報として、電子番組表の番組データを取得する。電子番組表の番組データを取得して番組の終了を検知する方法としては、例えば、あらかじめ電子番組表から番組データを取得しておき、その取得した番組データから終了時間を認識して、該終了時間になった時点で番組の終了を検知するという方法が挙げられる。
【００４８】
その結果、上記効果に加えて、視聴者は、番組の終了時間を気にすることなく、複数の番組について、放送の内容を記録することができる。
【００４９】
また、本発明の放送内容記録装置は、放送の内容をファイルとして記録媒体に記録し、ファイルとしての記録を開始した後に、記録すべき放送が変更されたとき、記録手段は、その変更時まで記録していた放送の内容を１つのファイルとして保存して、さらに、その変更後における放送の内容を、新たなファイルに記録することを特徴としている。
【００５０】
上記構成によれば、記録すべき放送を変更した場合、その変更がなされた時点でファイルを分割する。その結果、上記効果に加えて、記録したい番組を記録の途中で視聴者が変更した場合においても、上記のようなファイルの分割によって、記録後におけるデータの再生を、番組毎にすることが容易となる。
【００５１】
【発明の実施の形態】
〔実施の形態１〕
本発明の実施の一形態について図１〜図８に基づいて説明すれば、以下の通りである。
【００５２】
なお、本実施の形態において、放送内容記録方法および放送内容記録装置は、テレビ放送における放送の内容を記録するものであるが、必ずしもこれに限定されない。例えば、ラジオ放送、出力手段から画像を出力することができる放送などを記録する方法および装置としてもよい。もちろん、本発明は、下記の実施の形態に限定されるものではなく、本発明の範囲内で種々の変更が可能である。
【００５３】
図１は、本実施の形態における放送内容記録装置の概略構成を示すブロック図である。放送内容記録装置１は、本実施の形態の放送内容記録方法を実現することができる装置である。
【００５４】
放送内容記録装置１は、放送受信手段２と、記録手段３と、入力手段４と、出力放送特定手段５と、放送番組情報取得手段６と、放送番組情報蓄積手段７と、記録番組特定手段８と、番組終了検知手段９と、制御手段１０とを有している。そして、放送内容記録装置１は、出力手段１４と接続されている。なお、出力手段１４は、図１によれば、放送内容記録装置１の外部に設けられているけれども、出力手段１４を放送内容記録装置１に含めた構成としてもよい。
【００５５】
放送受信手段２は、チューニング手段１１と、映像信号再生手段１２と、音声信号再生手段１３とを有している。チューニング手段１１は、放送波の受信信号を受け取る。チューニング手段１１にて受信された受信信号は、映像信号再生手段１２と音声信号再生手段１３とに出力される。映像信号再生手段１２では、受信信号から映像信号を再生して、記録手段３および外部に映像信号を出力する。同様に、音声信号再生手段１３は、受信信号から音声信号を再生して、記録手段３および外部に音声信号を出力する。
【００５６】
記録手段３は、放送の内容を記録する記録媒体を有しており、映像信号および音声信号を記録媒体に記録する。もちろん、記録手段３は、記録媒体に記録した映像信号および音声信号を再生することもできる。なお、ここで言う記録媒体は、特に限定されるものではなく、さまざまな記録媒体を使用することができる。記録手段３に用いることが可能な記録媒体としては、例えば、固定磁気ディスク（ハードディスク）、磁気ディスクパック、フレキシブルディスク、磁気テープ、ＤＡＴ（ｄｉｇｉｔａｌ  ａｕｄｉｏ  ｔａｐｅ）といった磁気記憶媒体、ＣＤ−Ｒ、ＣＤ−ＲＷ、ＤＶＤ−Ｒ、ＤＶＤ−ＲＡＭ、ＭＯディスクといったレーザ光を用いる記録媒体（光ディスク）、半導体ディスクといった半導体を用いた記録媒体などが挙げられる。しかし、本実施の形態の放送内容記録装置および放送内容記録方法においては、番組単位に放送の内容を記録するため、直接アクセスが可能な記録媒体を、記録手段３に対して選択することが好ましい。このような直接アクセスが可能な記録媒体を選択することによって、例えば、迅速な番組の頭出し、迅速なファイルへのアクセスなどが可能となる。
【００５７】
入力手段４には、図示していないけれども、録画開始スイッチ、停止スイッチ、チャンネル選択スイッチなどが備えられている。視聴者（ユーザー）は、入力手段４によって、放送内容記録装置１の操作と放送内容記録装置１への入力とを行うことができる。つまり、視聴者は、入力手段４を操作することによって、録画を開始したり、停止したり、チャンネルを選択することができる。
【００５８】
出力放送特定手段５は、出力手段１４が出力している放送を特定する。例えば、出力放送特定手段５は、制御手段１０からの制御を受けて、出力手段１４から受信する信号を判断し、出力手段１４が出力している放送を特定する。なお、放送の特定としては、例えば、放送チャンネルの特定が挙げられる。
【００５９】
放送番組情報取得手段６は、受信信号に重畳されている放送番組情報を抽出することによって、放送番組情報を取得する。なお、ここで言う放送番組情報としては、例えば電子番組データが挙げられ、本実施の形態において、放送番組情報取得手段６は、電子番組データを取得するものとする。放送番組情報取得手段６は、電子番組データを放送番組情報蓄積手段７に出力する。
【００６０】
放送番組情報蓄積手段７は、メモリ等で構成されており、受け取った電子番組データを蓄積する。この放送番組情報蓄積手段７に蓄積できるデータ量は、例えば、１日分の番組データの容量というような、まとまった量である。そして、この放送番組情報蓄積手段７のデータ容量に従って、放送内容記録装置１は、電子番組データを受信する受信動作を行い、電子番組データを更新する。
【００６１】
記録番組特定手段８は、記録手段３が記録している放送の内容について、その番組を特定する。例えば、本実施の形態において、記録番組特定手段８は、記録中の特定されている放送（例えば特定されている放送チャンネル）の情報と、現在の時刻（記録中の時刻）と、放送番組情報蓄積手段７に蓄積されている電子番組データとを用いて、記録中の番組を特定する。なお、記録番組特定手段８は、上記のような時刻の情報をもとにして番組を特定するものに限定されない。例えば、記録番組特定手段８が、受信している何らかの信号および情報から、直接、番組を特定するといったものでもよい。また、上記のように、放送内容記録装置１または放送内容記録装置１の各手段における動作を、時刻によって制御する場合は、時刻を知ることができる手段（例えば時計）を放送内容記録装置１に備えておく。
【００６２】
番組終了検知手段９は、記録中の番組の終了を検知する。例えば、本実施の形態において、番組終了検知手段９は、入力手段４からの入力に従って録画が開始された後、放送番組情報蓄積手段７のデータを参照し、現在の番組の終了時間データを取得する。そして、放送の内容の記録が行われている場合に、記録中における番組の終了時間が来た時、番組の終了を検知する。もちろん、番組終了検知手段９は、上記のようなものに限定されず、例えば、番組の終了を告げる信号を直接受けて、番組の終了を検知するものであってもよい。
【００６３】
制御手段１０は、ＣＰＵ（ｃｅｎｔｒａｌ  ｐｒｏｃｅｓｓｉｎｇ  ｕｎｉｔ）等の演算処理手段を含んで構成されており、放送内容記録装置１のさまざまな制御を行うことができる。例えば、視聴者によって、入力手段４の録画開始ボタンが押印された場合に、制御手段１０は、出力手段１４が出力している出力情報、例えば、出力されている番組のチャンネル情報を取得後、記録手段３に番組の録画を開始させる。制御手段１０は、常に、録画動作の停止あるいは中止を意味するコマンドの発生の有無を検出し、該コマンドの発生があるまで現在の録画状態を維持する。
【００６４】
また、制御手段１０は、記録している番組の終了時において、番組単位に記録するように、記録手段３を制御する。なお、ここで言う「番組単位に記録する」としては、例えば、図２に示すように、１つの番組を１つのファイルに記録することが挙げられる。図２には、番組Ａ〜番組Ｆの６つの番組を記録したときに、番組Ａはファイル１に、番組Ｂはファイル２に、番組Ｃはファイル３に、番組Ｄはファイル４に、番組Ｅはファイル５に、番組Ｆはファイル６に保存されていることを示している。
【００６５】
また、「番組単位に記録する」としては、例えば、記録媒体に記録された情報を利用するときに、番組毎の利用が容易となるような目印を、放送の内容とともに記録することが挙げられる。このような記録の例としては、図３に示すように、ファイルとして放送の内容を記録する場合においては、ファイル中に、番組と番組との間に目印を記録することが挙げられる。具体的に言えば、このような目印としてキーを設定する。図３には、番組Ａ〜番組Ｆの６つの番組を１つのファイルに記録して、番組Ａの終了位置（番組Ｂの開始位置）、番組Ｂの終了位置（番組Ｃの開始位置）、番組Ｃの終了位置（番組Ｄの開始位置）、番組Ｄの終了位置（番組Ｅの開始位置）、番組Ｅの終了位置（番組Ｆの開始位置）に、目印（キー）を記録した例を示している。
【００６６】
また、ファイルという概念が存在しない記録方法において、「番組単位に記録する」としては、図４に示すように、番組の終了位置の検索を容易にするための目印を、記録媒体（例えば磁気テープ）に記録することが挙げられる。
【００６７】
なお、上記「ファイル」とは、一つの単位として扱える関連したレコードの集合であって、保存の単位を意味する。上記のようにファイルとして、放送の内容を番組単位に記録する場合は、通常、何らかのシステム（例えば、ＯＳ（Ｏｐｅｒａｔｉｎｇ  Ｓｙｓｔｅｍ）、ファイルシステムなど）によりデータの管理がなされる。本実施の形態においては、ファイルシステムが記録手段３に内蔵されているものとする。もちろん、ファイルシステムは、記録手段３以外の手段に内蔵されていてもよい。
【００６８】
なお、本実施の形態においては、以下、１つの番組を１つのファイルに記録する形態について説明する。
【００６９】
制御手段１０は、番組終了検知手段９が記録中の番組の終了を検知したとき、それまでの録画データを１つのファイルとし、それ以降は別のファイルとして記録を継続するように、記録手段３を制御する。すなわち、本実施の形態の放送内容記録装置１は、それまでの録画データを１つのファイルとし、以降の番組は別のファイルとして録画を行うことができる。録画の停止命令が出るまで、例えば視聴者が録画の停止命令を入力手段４から入力するまで、上記の動作を繰り返すことで番組毎にファイルが作成されるため、視聴者は、後に容易に番組毎の視聴を行うことができる。
【００７０】
また、制御手段１０は、上記録画を行っている番組の終了を番組終了検知手段９から受けると、該録画した番組に対して、該番組を特定できる固有の情報を生成して、保存することができる。例えば、チャンネル情報および録画開始時刻等の組み合わせから構成される情報を、ファイル名として上記番組に関連付けることができる。なお、上記固有の情報を生成は、上記タイミングに限定されず、例えば、番組の録画の開始と連動して、該動作後直ちに、該番組を特定するファイル名等の固有の情報を生成するようにしても良い。
【００７１】
また、制御手段１０は、上記録画を行った番組に引き続いて放送される番組（以下、第２の番組と称す）を、引き続き録画するかの判断を行うことができる。すなわち、第２の番組の放映開始時刻までに、現在行われている録画動作の停止あるいは中止命令が発生するか否かを検出し、録画停止もしくは録画中止命令が発生しない場合に、上記録画を行った番組に引き続いて受信される第２の番組の録画を継続して行う。
【００７２】
上記第２の番組の録画の開始とともに、あるいは、該第２の番組の終了予定時間到来時に、または、該第２の番組の終了予定時間経過前に録画停止もしくは中止命令が発生した時に、制御手段１０は、第２の番組を特定するファイル名等の固有情報を生成する。
【００７３】
以上のように、録画終了予定時刻が入力されることなく録画が開始された場合において、現在録画している番組の終了予定時刻あるいは該番組に引き続き放映される番組の開始時刻を基準として、該終了予定時刻あるいは次の番組の開始予定時刻までに録画停止もしくは中止命令が発生したか否かを検出し、一連の録画動作中に異なる番組がいくつ存在するかを検出する。また、異なる番組がある場合には、番組毎に異なったファイルとして保存する。
【００７４】
したがって、録画終了時間が入力されずに録画が開始されて、録画停止もしくは中止命令が発生するまでの間に、複数の番組が録画される場合であっても、放送番組情報等の情報を基に、番組毎に異なるファイルとして、言い換えれば、番組毎にファイルを分割して保存するので、１つのファイルと見なされることがなく、番組毎に頭出しして視聴することが可能となる。
【００７５】
以上のような構成により、本実施の形態の放送内容記録装置は構成されている。なお、図１では、電子番組データは受信信号に重畳されたものを用いているが、このような構成に限定されるものではない。例えば、放送番組情報取得手段６をインターネット等に接続して、インターネット等から電子番組データをダウンロードする方式としてもよい。
【００７６】
次に、図５〜図７のフローチャートを用いて、本実施の形態における放送内容記録方法の動作について、詳細に説明する。本実施の形態における放送内容記録方法は、図５および図６、または、図７で示すことができる。図５および図６に示される方法では、図５に示されるステップとは別に、図６に示されるステップも別途流れているものとする。図７で示される方法においては、図７に示すステップのみで動作するものとする。
【００７７】
まず、図６のＳ２０においては、制御手段１０が、放送番組情報取得手段６に対して、受信信号から放送番組情報（例えば電子番組データ）を取得するように制御する。その制御を受けて、放送番組情報取得手段６は、放送番組情報を取得する。次に、放送番組情報取得手段６は、放送番組情報を取得したことを制御手段１０に伝える。その伝達を受けた制御手段１０は、放送番組情報取得手段６が放送番組情報蓄積手段７に放送番組情報を蓄積するように、放送番組情報取得手段６を制御する。その制御を受けて、放送番組情報取得手段６は、放送番組情報を放送番組情報蓄積手段７に蓄積する。その蓄積後、放送番組情報取得手段６は、制御手段１０に蓄積が完了したことを伝える。その伝達後、図６のＳ２１に進む。
【００７８】
Ｓ２１においては、制御手段１０は、設定されている放送番組情報の取得時期が来たか否かを判断する。放送番組情報の取得時期が来ていないと判断した場合（図中ＮＯ）は、Ｓ２１で待機する。放送番組情報の取得時期が来たと判断した場合（図中ＹＥＳ）は、Ｓ２０に進む。
【００７９】
上記放送番組情報の取得時期は、特に限定されないが、あらかじめ設定が可能であることが好ましい。例えば、視聴者が、新しい放送番組情報の使用を望む場合は、Ｓ２１において、制御手段１０に蓄積が完了したことの伝達を受けてから、例えば数分後にＳ２０に進むように設定すればよい。このように、数分後に放送番組情報を取得するように設定しておけば、例えば、番組の進行状況が変化した場合（例えばスポーツ番組の放送時間が延びて、番組の終了時間が変化した場合）でも、番組の終了を正確に把握することが可能となる。
【００８０】
もちろん、視聴者が、そこまで新しい放送番組情報の使用を望まない場合は、Ｓ２１において、制御手段１０に蓄積が完了したことの伝達を受けてから、例えば半日後または１日後にＳ２０に進むように設定すればよい。また、図７に示すように、放送内容の記録を始める前に、あらかじめ放送番組情報の取得および蓄積をするステップ（図７のＳ３０）を設けてもよい。
【００８１】
なお、この放送番組情報（電子番組データ）の受信間隔は、放送番組情報蓄積手段７のメモリ容量に従って決定する。例えば、電子番組データ蓄積部のメモリ容量が１日分の番組データを蓄積するのが可能な場合は、１日に１回以上電子番組データを受信することができる。
【００８２】
では、図５のフローチャートについて説明する。なお、図７には、図５と同じステップを示す記号（Ｓ０〜Ｓ９）が付されているが、図５と同じステップを意味するものとする。
【００８３】
Ｓ０のステップでは、視聴者がテレビジョン放送を視聴している状態である。つまり、出力手段１４から放送の内容が出力されている状態である。次に、Ｓ１に進む。
【００８４】
Ｓ１のステップにおいては、視聴者が、現在視聴している番組を録画するため録画ボタンをオンにする。つまり、視聴者が動作命令を入力手段４に入力し、記録の開始命令が発生する。上記記録の開始命令は、入力手段４から制御手段１０に伝達される。この伝達後、Ｓ２に進む。
【００８５】
Ｓ２のステップは、録画（記録）の開始命令が発生を受けて、出力手段１４から出力されている放送を、出力放送特定手段５に特定させるステップである。具体的に言えば、制御手段１０は、出力放送特定手段５を制御する。その制御を受けた出力放送特定手段５は、出力手段１４から受信する信号を判断して、出力手段１４が出力している放送を特定する。具体的には、出力放送特定手段５は、出力されている放送のチャンネル情報を取得する。出力放送特定手段５は、取得したチャンネル情報を制御手段１０に伝達する。その伝達後、Ｓ３に進む。
【００８６】
Ｓ３のステップは、Ｓ２で特定した放送についての記録を、記録手段３に開始させる出力放送記録開始ステップである。つまり、制御手段１０は、即座に記録（録画）を開始するよう、記録手段３を制御する。具体的には、制御手段１０は、取得したチャンネルの情報をもとに、そのチャンネルの放送の内容を記録するように、記録手段３を制御する。その制御を受けた記録手段３は、映像信号再生手段１２および音声信号再生手段１３から、上記チャンネルの情報に基づくチャンネルの放送の内容を受け取って、その放送の内容の記録媒体への記録を開始する。記録を開始した記録手段３は、記録を開始したことを制御手段１０に伝える。その後、Ｓ４に進む。
【００８７】
Ｓ４のステップは、放送番組情報取得手段が取得した放送番組情報を用いて、記録中の放送における番組を、記録番組特定手段に特定させる記録番組特定ステップである。制御手段１０は、記録が開始したことを受けると、記録している放送における番組を特定するように、記録番組特定手段８を制御する。記録番組特定手段８は、記録中の放送（特定されている放送チャンネル）の情報と、現在の時刻（記録中の時刻）と、放送番組情報蓄積手段７に蓄積されている電子番組データとを用いて、記録中の番組を特定する。番組の特定後、記録番組特定手段８は、特定した番組の情報を、番組終了検知手段９に伝える。また、記録番組特定手段８は、番組の特定が完了したことを制御手段１０に伝える。次に、Ｓ５に進む。
【００８８】
Ｓ５のステップは、記録（録画）の終了命令があるか否かを判断するステップである。具体的には、制御手段１０が、録画の終了命令があるか否かを判断する。録画の終了命令としては、例えば、入力手段４の録画停止ボタンが押された場合などが挙げられる。このＳ５ステップにおいて、録画の終了命令があると判断したときはＳ９に進む（図中ＹＥＳ）。このＳ５ステップにおいて、録画の終了命令がないと判断したときはＳ６に進む（図中ＮＯ）。
【００８９】
Ｓ６のステップは、放送番組情報を用いて、記録中の放送における番組の終了を検知する番組終了検知ステップである。制御手段１０は、番組の終了を検知するように、番組終了検知手段９を制御する。その制御を受けた番組終了検知手段９は、まず、記録番組特定手段８から受け取った番組の情報と、放送番組情報蓄積手段７に蓄積されている番組データを用いて、番組の終了時刻を取得する。そして、番組終了検知手段９は、記録中の番組の終了時間が到来していると判断したとき、番組の終了を検知する。番組終了検知手段９は、番組の終了を検知すると、その検知結果を制御手段１０に伝える。Ｓ６のステップにおいて番組の終了を検知したとき、つまり、番組終了検知手段９が終了を検知して、その検知結果を制御手段１０が受け取ったとき、Ｓ７に進む（図中ＹＥＳ）。Ｓ６のステップにおいて、番組の終了を検知しなかったとき、つまり、番組終了検知手段９から番組終了の検知結果を制御手段１０が受け取っていないときは、Ｓ５に進む（図中ＮＯ）。
【００９０】
Ｓ７のステップは、記録中の番組の終了を告げる検知結果に基づいて、記録媒体に記録される放送の内容を、番組単位に記録する番組単位記録ステップである。制御手段１０は、番組が終了した旨の結果を受け取ると、番組ごとにファイルを作成するよう、記録手段３を制御する。その制御を受けた記録手段３は、その時点までの録画データを１つのファイルとしてクローズし、さらに、新たにファイルを作成して引き続き録画を続行する。その後、記録手段３は、新たなファイルに録画を開始したことを制御手段１０に伝える。そして、Ｓ８に進む。
【００９１】
Ｓ８のステップは、Ｓ７で録画を開始した新たな番組を特定するステップである。番組の特定方法は、Ｓ４の方法と同様である。その後、Ｓ５に進む。
【００９２】
Ｓ９においては、記録を終了する命令に基づいて、記録を終了するステップである。制御手段１０は、記録を終了する命令を受けたとき、例えば、入力手段４の録画停止ボタンが押されたとき、その時点までの録画データを１つのファイルとしてクローズするよう、記録手段３を制御する。その制御を受けた記録手段３は、その時点までの録画データを１つのファイルとしてクローズし、その後、ファイルのクローズが完了の旨を、制御手段１０に伝える。
【００９３】
以上のような動作を行うことで、視聴者が録画ボタンを押し録画が開始された場合においても、番組毎にファイルが分割されることになる。
【００９４】
続いて、図２および図８を用いて、録画動作と生成されるファイルとについて説明する。図８は、放送されている番組のタイムテーブルの例を表している。仮に、視聴者が、２０：００〜２０：５４の間放送されている番組Ａを視聴しており、番組Ａの途中で録画を開始したとする。前述のように、制御手段１０が録画を開始すると、それとともに、番組終了検知手段９は番組Ａの終了時刻を記憶する。この場合、終了時刻は２０：５４であるので、２０：５４まではそのまま録画を続行する。そして、２０：５４になった時点で、番組終了検知手段９は、番組Ａの終了を検知する。その検知を受けて、制御手段１０は記録手段３を制御して、記録手段３は、それまでの録画データを１つのまとまりとして１つのファイルとする。そして、新たなファイルとして次の番組である番組Ｂの録画を続行する。そして、この番組Ｂの終了時刻（この場合は２１：００）を取得し、番組Ｂの終了時刻になった時点でファイルをクローズする。以上のような動作を視聴者が録画を停止する番組Ｆの途中まで繰り返す。このことで、記録媒体上には、図２で示されるように、番組毎にファイルが構成される。
【００９５】
上記のように、本実施の形態における番組録画装置および番組録画方法によれば、視聴者が録画を開始してから録画を停止するまでの間に放送される番組が終了した場合、番組毎に区切られたファイルが生成される。録画が終了した後に視聴者が録画した番組を視聴する場合において、番組毎にファイルが分割されているため番組毎の頭出しが非常に容易に行うことができる。また、視聴した後に番組の消去を行う場合も、番組毎にファイルが分割されているため、番組ファイルを消去するだけで容易に行うことができるという効果がある。また、予め電子番組データを取得しておくことによって番組の終了の判定を行うため、視聴者は、番組の切れ目を意識することなく、最初に録画ボタンをＯｎするだけで録画が開始され、番組毎に構成されたファイルを得ることができる。
【００９６】
〔実施の形態２〕
本発明の他の実施の形態について図９〜図１１に基づいて説明すれば、以下の通りである。本実施の形態の放送内容記録装置（番組録画装置）は、前述した実施の形態１の放送内容記録装置と同じ構成を有するものとする。
【００９７】
なお、説明の便宜上、上記実施の形態１の図面に示した部材と同一の機能を有する部材については、同一の符号を付し、その説明を省略する。また、上記実施の形態１で述べた各種の特徴点については、本実施の形態についても組み合わせて適用し得るものとする。
【００９８】
図９は本実施の形態における動作のフローチャートを示す。Ｓ９０のステップでは、図７のＳ３０と同様、まず放送内容記録装置１は、予め電子番組データを受信しておき、放送番組情報蓄積手段７にデータを蓄積する。まず、制御手段１０が、放送番組情報取得手段６に対して、受信信号から電子番組データを取得するように制御する。その制御を受けて、放送番組情報取得手段６は、電子番組データを取得する。次に、放送番組情報取得手段６は、電子番組データを取得したことを制御手段１０に伝える。その伝達を受けた制御手段１０は、放送番組情報取得手段６が放送番組情報蓄積手段７に電子番組データを蓄積するように、放送番組情報取得手段６を制御する。その制御を受けて、放送番組情報取得手段６は、電子番組データを放送番組情報蓄積手段７に蓄積する。その蓄積後、放送番組情報取得手段６は、制御手段１０に蓄積が完了したことを伝える。その伝達後、Ｓ９１に進む。
【００９９】
Ｓ９１のステップでは、図５のＳ０と同様、視聴者がテレビジョン放送を視聴している状態である。つまり、出力手段１４から放送の内容が出力されている状態である。次に、Ｓ９２に進む。
【０１００】
Ｓ９２のステップにおいては、図５のＳ１と同様、視聴者が、現在視聴している番組を録画するため録画ボタンをオンにする。次に、Ｓ９３に進む。
【０１０１】
Ｓ９３のステップは、図５のＳ２と同様、録画の開始命令が発生を受けて、出力手段１４から出力されている放送を、出力放送特定手段５に特定させるステップである。視聴中のチャンネルを特定後、Ｓ９４に進む。
【０１０２】
Ｓ９４のステップは、図５のＳ３と同様、Ｓ９３で特定した放送についての録画を、記録手段３が開始するステップである。録画開始後、Ｓ９５に進む。
【０１０３】
Ｓ９５のステップは、図５のＳ４と同様、記録中の放送における番組を特定するステップである。次に、Ｓ９６に進む。
【０１０４】
Ｓ９６のステップは、図５のＳ５と同様、録画の終了命令があるか否かを判断する、具体的には、入力手段４の停止ボタンが押された場合、Ｓ１０１に進む（図中ＹＥＳ）。入力手段４の停止ボタンが押されていない場合、Ｓ９７に進む（図中ＮＯ）。
【０１０５】
Ｓ９７のステップは、図５のＳ６と同様、番組データを用いて、録画中の放送における番組の終了を検知するステップである。具体的に言えば、番組終了検知手段９は、番組の終了時刻を取得し、番組の終了時間の到来により、番組の終了を検知する。Ｓ９７のステップにおいて番組の終了を検知したとき、Ｓ９９に進む（図中ＹＥＳ）。Ｓ９７のステップにおいて、番組の終了を検知しなかったとき、Ｓ９８に進む（図中ＮＯ）。
【０１０６】
Ｓ９８のステップは、ファイルとしての記録を開始した後に記録すべき放送が変更されたとき、記録手段には、その変更時まで記録していた放送の内容を１つのファイルとして保存させるとともに、その変更後における放送の内容を新たなファイルに記録させるステップである。例えば、視聴者が録画するチャンネルを変更した場合、その時点でファイルをクローズする。そして変更したチャンネルの番組を新たなファイルとして録画を続行する。
【０１０７】
このＳ９８では、制御手段１０は、録画すべき放送を変更する命令（入力）が、入力手段４からあるか否かを判断する。録画すべき放送を変更する命令（入力）がないと判断した場合は、Ｓ９６に進む。録画すべき放送を変更する命令（入力）がある場合は、Ｓ９９に進む。
【０１０８】
Ｓ９９のステップは、録画する放送の変更または記録中の番組の終了を告げる検知結果に基づいて、番組毎にファイルを分割して、放送の内容を記録媒体に記録する。
【０１０９】
まず、Ｓ９９において、番組の終了の検知結果を受けたときについては、図５のＳ７と同様である。つまり、制御手段１０は、番組が終了した旨の結果を受け取ると、番組ごとにファイルを作成するよう、記録手段３を制御する。その制御を受けた記録手段３は、その時点までの録画データを１つのファイルとしてクローズし、さらに、新たにファイルを作成して引き続き録画を続行する。その後、記録手段３は、新たなファイルに録画を開始したことを制御手段１０に伝える。そして、Ｓ１００に進む。
【０１１０】
一方、Ｓ９９において、録画する放送の変更を受けたときは、まず、制御手段１０は、変更すべきチャンネルの情報を入力手段４から受け取る。例えば、録画すべきチャンネルをＸに変更する旨の入力がなされたとする。制御手段１０は、その時点までの録画データを１つのファイルとしてクローズして、さらに、新たにファイルを作成してＸチャンネルの放送を録画するように、記録手段３を制御する。その制御を受けた記録手段３は、まず、その時点までの録画データを１つのファイルとしてクローズする。そして、記録手段３は、新たにファイルを作成して、映像信号再生手段１２および音声信号再生手段１３から、Ｘチャンネルの放送の内容を受け取って、Ｘチャンネルの放送の内容を、先ほど作成した新たなファイルに記録する。Ｘチャンネルの録画を開始した記録手段３は、チャンネルの変更が完了したことを制御手段１０に伝える。その後、Ｓ１００に進む。
【０１１１】
Ｓ１００のステップは、Ｓ９９で録画を開始した新たな番組を特定するステップである。番組の特定方法は、図５のＳ４の方法と同様である。その後、Ｓ９６に進む。
【０１１２】
Ｓ１０１のステップにおいては、録画を終了する命令に基づいて、録画を終了するステップである。なお、このステップについては、図５のＳ９と同様である。
【０１１３】
上記に示すステップの動作を行うことで、視聴者が録画ボタンを押し録画が開始された場合においても、番組毎にファイルが分割されることになる。また、録画の途中で視聴者がチャンネルを変更した場合でも、変更するまでの番組を１つのファイルとし、チャンネル変更後からの番組を新たなファイルとして録画を続行することができる。
【０１１４】
続いて図１０および図１１を用いて、録画動作と生成されるファイルについて説明する。図１０は、放送されている番組のタイムテーブルの例を表している。視聴者は、２０：００〜２０：５４の間放送されているチャンネルＬの番組Ａを視聴しており、番組Ａの途中で録画を開始したとする。そして、番組ＡおよびＢを録画した後、番組Ｃの途中で、チャンネルＬからチャンネルＭへ変更し、チャンネルＭの番組を録画し続けて停止する動作を示している。
【０１１５】
この場合、制御手段１０は前述のように録画を開始するとともに、番組終了検知手段は、番組Ａの終了時刻を記憶する。この場合、終了時刻は２０：５４であるので、２０：５４まではそのまま録画を続行する。そして、２０：５４になった時点で、番組Ａが終了したとの検知を受けて、制御手段１０は、それまでの録画データを１つのファイルとするように、記録手段３を制御する。そして、新たなファイルとして次の番組である番組Ｂの録画を続行する。そして、この番組Ｂの終了時刻（この場合は２１：００）を取得し、番組Ｂの終了時刻になった時点でファイルをクローズする。次に番組Ｃの録画を続行中にチャンネルが変更されたため、直ちに放送内容記録装置１は、これまで録画した番組Ｃのデータを１つのファイルとして分割し、その後の番組Ｇ以下を新たなファイルとして録画を続行する。以上のような動作を、視聴者が録画を停止する番組Ｊの途中まで繰り返す。このことで、記録媒体上には、図１１で示されるように、番組毎にファイルが構成される。
【０１１６】
上記のように、本実施の形態の放送内容記録方法および放送内容記録装置によれば、視聴者が録画を開始してから録画を停止するまでの間に放送される番組が終了した場合、番組毎に区切られたファイルが生成される。また、視聴者が録画の途中でチャンネルを変更した場合も、チャンネルを変更する以前の部分を１つのファイルとし、それ以降を新たなファイルとし、以降、番組毎にファイルを分割して記録する。以上のようにして録画が終了した後に視聴者が録画した番組を視聴する場合において、番組毎にファイルが分割されているため番組毎の頭出しが非常に容易に行うことができる。また、視聴した後に番組の消去を行う場合も、番組毎にファイルが分割されているため、番組ファイルを消去するだけで容易に行うことができる。
【０１１７】
また、本実施の形態１における放送内容記録方法および放送内容記録装置によれば、視聴者が録画を開始してから録画を停止するまでの間に放送される番組が終了した場合、番組毎に区切られたファイルが生成される。録画が終了した後に視聴者が録画した番組を視聴する場合において、番組毎にファイルが分割されているため番組毎の頭出しが非常に容易に行うことができる。また、視聴した後に番組の消去を行う場合も、番組毎にファイルが分割されているため、番組ファイルを消去するだけで容易に行うことができる。
【０１１８】
また、番組の終了の判定は予め電子番組データを取得しておくことで行われるため、視聴者は、番組の切れ目を意識することなく録画することができる。このように、予め、電子番組データ表により番組のデータを取得しておき、視聴者が録画を開始してから録画を停止するまでの間に、番組毎にファイルを分割すると、録画が終了した後に視聴者が録画した番組を視聴する場合において、番組毎にファイルが分割されているため、番組毎の頭出しが非常に容易に行うことができる。
【０１１９】
また、本実施の形態２における放送内容記録方法および放送内容記録装置によれば、視聴者が録画を開始してから録画を停止するまでの間に放送される番組が終了した場合、番組毎に区切られたファイルが生成される。また、視聴者が録画の途中でチャンネルを変更した場合はチャンネルを変更する以前の部分を１つのファイルとし、それ以降を新たなファイルとし、以降、番組毎にファイルを分割して記録する。以上のようにして録画が終了した後に視聴者が録画した番組を視聴する場合において、番組毎にファイルが分割されているため番組毎の頭出しが非常に容易に行うことができる。また、視聴した後に番組の消去を行う場合も、番組毎にファイルが分割されているため、番組ファイルを消去するだけで容易に行うことができる。
【０１２０】
なお、本発明の放送内容記録方法を、番組録画方法として応用し、録画開始命令の発生に従い現在、表示部に表示している番組の録画を開始するステップと、上記番組を特定する情報を取得するステップと、上記取得した番組を特定する情報を基に、番組データを参照することにより、当該番組の終了時刻を取得するステップと、上記終了時刻の到来に応じて上記録画した番組を１つのファイルとして保存するステップと、引き続き録画を継続して行うかの判断を行うステップと、録画停止もしくは録画中止命令が発生しない場合に、上記録画を行った番組に引き続いて受信される第２の番組の録画を継続して行うステップと、上記第２の番組に対して、上記番組とは異なるファイル名を関連付けるステップとを有する番組録画方法としてもよい。
【０１２１】
また、本発明の放送内容記録方法を、番組録画方法として応用し、番組録画方法として、現在視聴している番組の録画を開始し、該番組が終了しても継続して以降の番組を録画する場合において、該番組が終了した時点で録画したデータを１つのファイルとし、該番組の次番組を新たなファイルとして録画し、さらにこの次番組が終了した時点で再びファイルを分割するということを繰り返し、番組毎に録画したデータを１つのファイルとして分割し保存する番組録画方法としてもよい。
【０１２２】
また、本発明の放送内容記録方法を、番組録画方法として応用し、上記方法に加えて、番組の終了判断としては予め電子番組表から番組データを取得しておき、該取得した番組データから終了時間を認識し、該終了時間になった時点でファイルを分割するという番組録画方法としてもよい。
【０１２３】
また、本発明の放送内容記録方法を、番組録画方法として応用し、上記方法に加えて、録画が開始された後に選択されているチャンネルが変更された場合は、チャンネルが変更された時点でファイルを分割する番組録画方法としてもよい。
【０１２４】
また、本発明の放送内容記録装置を、番組録画装置として応用し、電子番組データを受信する受信部と、該番組データを蓄積するメモリと、テレビジョン放送を受信するチューニング部と、受信したテレビジョン放送を記録媒体に録画する記録部と、録画装置全体をコントロールするコントロール部を有する録画装置において、現在視聴している番組の録画を開始し、該番組が終了しても継続して以降の番組を録画する場合、該番組が終了したとコントローラが判断した時点で録画したデータを１つのファイルとし、該番組の次番組を新たなファイルとして録画し、さらにこの次番組が終了した時点で再びファイルを分割するということを繰り返し、番組毎に録画したデータを１つのファイルとして分割し保存する、番組録画装置としてもよい。
【０１２５】
また、本発明の放送内容記録装置を、番組録画装置として応用し、上記構成に加えて、番組の終了判断としては予め電子番組表から番組データを取得しておき、該取得した番組データから終了時間を認識し、該終了時間になった時点でファイルを分割する番組録画装置としてもよい。
【０１２６】
また、本発明の放送内容記録装置を、番組録画装置として応用し、上記構成に加えて、録画が開始された後に選択されているチャンネルが変更された場合は、チャンネルが変更された時点までを１つのファイルとする番組録画装置としてもよい。
【０１２７】
なお、放送内容記録装置１の各手段は、コンピュータで処理するためのプログラムによって動作させることができる。そして、図５に示すＳ０〜Ｓ９のステップと、図６に示すＳ２０〜Ｓ２１のステップと、図７に示すＳ３０およびＳ０〜Ｓ９のステップと、図９のＳ９０〜Ｓ１０１のステップとで示す処理は、コンピュータで処理するためのプログラムとして記録することができる。さらに、上記コンピュータで処理するためのプログラムをコンピュータで読み取り可能な記録媒体に記録して、上記各処理を、それらプログラムによって実現することができる。
【０１２８】
上記コンピュータで読み取り可能な記録媒体は、装置と分離可能に構成してもよい。さらに、その記録媒体は、プログラムを固定的に担持する媒体であってもよい。その記録媒体としては、例えば、磁気テープやカセットテープなどのテープ系、フレキシブルディスク／ハードディスクなどの磁気ディスクやＣＤ−ＲＯＭ／ＭＯ／ＭＤ／ＤＶＤ／ＣＤ−Ｒなどの光ディスクを含むディスク系、ＩＣカード（メモリカードを含む）／光カードなどのカード系、マスクＲＯＭ／ＥＰＲＯＭ／ＥＥＰＲＯＭ／フラッシュＲＯＭなどの半導体メモリ系などが挙げられる。
【０１２９】
また、上記放送内容記録装置１は、流動的にプログラムを担持する媒体を、プログラム記録媒体として有していてもよい。流動的にプログラムを担持する例としては、放送内容記録装置１を、インターネットなどの通信ネットワークと接続させて、その通信ネットワークからプログラムをダウンロードすることなどが挙げられる。なお、このように通信ネットワークからプログラムをダウンロードする場合には、そのダウンロード用プログラムは、あらかじめ装置本体に格納しておいてもよいし、あるいは別の記録媒体からインストールされるものであってもよい。また、上記記録媒体に格納される内容は、上記のようなプログラムに限定されず、例えば、データであってもよい。さらに、記憶媒体に格納されている内容を利用するときは、メモリに展開して実行してもよいし、そのまま実行しても構わない。
【０１３０】
【発明の効果】
本発明の放送内容記録方法は、以上のように、放送内容記録装置が記録の開始命令を受けることによって、放送内容記録装置の制御手段は、放送受信手段が受信している放送の内容を記録媒体に記録することを、記録手段に開始させるとともに、放送されている複数の番組を記録媒体に記録させて、放送内容記録装置が記録の終了命令を受けることによって、放送内容記録装置の制御手段は、記録手段が行っている記録を終了させる放送内容記録方法であって、記録の開始命令が発生したときに出力手段から出力されている放送を、上記制御手段が出力放送特定手段に特定させる出力放送特定ステップと、出力放送特定ステップで特定された放送についての記録を、上記制御手段が記録手段に開始させる出力放送記録開始ステップと、上記制御手段が、記録番組特定手段に、放送番組情報取得手段が取得する情報であって放送される番組についての情報である放送番組情報を用いて、記録中の放送における番組を特定させる記録番組特定ステップと、放送番組情報を用いて、記録中の放送における番組の終了を、上記制御手段が番組終了検知手段に検知させる番組終了検知ステップと、番組終了検知ステップの検知結果に基づいて、記録媒体に記録される放送の内容を、上記制御手段が、記録手段に番組単位に記録させる番組単位記録ステップとを含んでいるという方法である。
【０１３１】
それゆえ、現在視聴している放送について、その内容の記録媒体への記録を迅速に開始するとともに、番組単位に記録することによって、複数の番組を記録した場合でも、快適に記録媒体の記録を利用することができる放送内容記録方法を提供することができるという効果を奏する。
【０１３２】
また、本発明の放送内容記録方法は、上記方法に加えて、上記制御手段は、記録手段に、放送の内容をファイルとして記録させて、上記番組単位記録ステップにおいて、番組が終了した旨の検知結果を制御手段が受けたとき、制御手段は、その検知前まで記録していた放送の内容を１つのファイルとして保存させるとともに、その検知後の放送の内容を新たなファイルに記録させるという方法である。
【０１３３】
それゆえ、上記効果に加えて、記録媒体に記録されている内容を番組毎に利用することが、極めて容易となる。例えば、番組毎にファイルが構成されているので、視聴者は、記録した番組を視聴する場合、ファイル毎に、容易に記録したデータの再生ができる。すなわち、記録した番組を容易に頭出して視聴することができるという効果を奏する。また、ファイルは既に番組毎に編集されているため、ファイルを番組毎に管理することが容易となるという効果を奏する。
【０１３４】
また、本発明の放送内容記録方法は、上記方法に加えて、上記制御手段は、放送番組情報取得手段に、上記放送番組情報として電子番組表の番組データを取得させ、上記番組終了検知ステップでは、上記制御手段は、番組終了検知手段に、電子番組表の番組データを用いて番組の終了時間を認識させるとともに、番組の終了時間の到来により番組の終了を検知させるという方法である。
【０１３５】
それゆえ、上記効果に加えて、視聴者は、番組の終了時間を気にすることなく、複数の番組について、放送の内容を記録することができるという効果を奏する。
【０１３６】
また、本発明の放送内容記録方法は、上記方法に加えて、上記制御手段は、記録手段に、放送の内容をファイルとして記録させて、ファイルとしての記録を開始した後に記録すべき放送が変更されたとき、上記制御手段は、記録手段に、その変更時まで記録していた放送の内容を１つのファイルとして保存させるとともに、その変更後における放送の内容を新たなファイルに記録させるという方法である。
【０１３７】
それゆえ、上記効果に加えて、記録したい番組を記録の途中で視聴者が変更した場合においても、上記のようにファイルが分割されているので、記録後に容易にデータを視聴することができるという効果を奏する。
【０１３８】
また、本発明の放送内容記録プログラムは、上記に記載の放送内容記録方法を、コンピュータに実行させるためのプログラムである。
【０１３９】
それゆえ、現在視聴している放送について、その内容の記録媒体への記録を迅速に開始するとともに、番組単位に記録することによって、複数の番組を記録した場合でも、快適に記録媒体の記録を利用することができる放送内容記録プログラムを提供することができるという効果を奏する。
【０１４０】
また、本発明のコンピュータ読み取り可能な記録媒体は、上記に記載の放送内容記録方法を、コンピュータに実行させるための放送内容記録プログラムを記録した記録媒体である。
【０１４１】
それゆえ、現在視聴している放送について、その内容の記録媒体への記録を迅速に開始するとともに、番組単位に記録することによって、複数の番組を記録した場合でも、快適に記録媒体の記録を利用することができる、コンピュータ読み取り可能な記録媒体を提供することができるという効果を奏する。
【０１４２】
また、本発明の放送内容記録装置は、放送を受信する放送受信手段と、放送受信手段が受信している放送の内容を記録媒体に記録する記録手段とを有し、記録の開始命令によって、放送受信手段が受信している放送の内容を記録媒体に記録することを開始して、放送されている複数の番組を記録媒体に記録して、記録の終了命令によってその記録を終了する放送内容記録装置であって、記録の開始命令が発生したときに、出力手段から出力されている放送を特定する出力放送特定手段と、放送される番組についての情報である放送番組情報を取得する放送番組情報取得手段と、上記放送番組情報を用いて、記録中の放送における番組を特定する記録番組特定手段と、放送番組情報を用いて、記録中の放送における番組の終了を検知する番組終了検知手段とをさらに有し、記録の開始命令が発生したときに、出力放送特定手段が特定した放送の記録を開始して、番組終了検知手段の検知結果に基づいて、記録媒体に記録される放送の内容を、番組単位に記録するという構成である。
【０１４３】
それゆえ、現在視聴している放送について、その内容の記録媒体への記録を迅速に開始するとともに、番組単位に記録することによって、複数の番組を記録した場合でも、快適に記録媒体の記録を利用することができるという効果を奏する。
【０１４４】
また、本発明の放送内容記録装置は、上記構成に加えて、放送の内容をファイルとして記録媒体に記録し、上記番組単位の記録において、番組が終了した旨の検知結果を受けたとき、その検知前まで記録していた放送の内容を１つのファイルとして保存し、その検知後は、新たなファイルに放送の内容を記録するという構成である。
【０１４５】
それゆえ、上記効果に加えて、記録媒体に記録されている内容を番組毎に利用することが、極めて容易となるという効果を奏する。また、番組毎にファイルが構成されているので、視聴者が記録した番組を視聴する場合、ファイル毎に、容易に録画したデータの視聴をすることができるという効果を奏する。
【０１４６】
また、本発明の放送内容記録装置は、上記構成に加えて、上記放送番組情報として電子番組表の番組データを取得し、番組終了検知手段は、電子番組表の番組データを用いて番組の終了時間を認識し、番組の終了時間の到来により番組の終了を検知するという構成である。
【０１４７】
それゆえ、上記効果に加えて、視聴者は、番組の終了時間を気にすることなく、複数の番組について、放送の内容を記録することができるという効果を奏する。
【０１４８】
また、本発明の放送内容記録装置は、放送の内容をファイルとして記録媒体に記録し、ファイルとしての記録を開始した後に、記録すべき放送が変更されたとき、記録手段は、その変更時まで記録していた放送の内容を１つのファイルとして保存して、さらに、その変更後における放送の内容を、新たなファイルに記録するという構成である。
【０１４９】
それゆえ、上記効果に加えて、記録したい番組を記録の途中で視聴者が変更した場合においても、上記のようなファイルの分割によって、記録後におけるデータの再生を、番組毎にすることが容易となるという効果を奏する。
【図面の簡単な説明】
【図１】本発明における放送内容記録装置の実施の一形態を示すブロック図である。
【図２】本発明の放送内容記録装置または放送内容記録方法によって、記録媒体に記録される放送の内容を、番組単位に記録した一例であって、１つの番組を１つのファイルに保存した例を示す模式図である。
【図３】本発明の放送内容記録装置または放送内容記録方法によって、記録媒体に記録される放送の内容を、番組単位に記録した一例であって、ファイル中にキー（目印）を設定することによって、番組の終了位置の検索を容易にしたことを示す模式図である。
【図４】本発明の放送内容記録装置または放送内容記録方法によって、記録媒体に記録される放送の内容を、番組単位に記録した一例であって、ファイルという概念が存在しない記録方法において、番組の終了位置の検索を容易にするための目印を、記録媒体に記録したことを示す模式図である。
【図５】本発明の実施の形態における、放送内容記録方法を示すフローチャート（流れ図）である。
【図６】本発明の実施の形態における、放送番組情報の取得方法を示すフローチャートである。
【図７】本発明の実施の形態における、放送内容記録方法を示すフローチャート（流れ図）であって、放送の内容の記録を開始する前に、あらかじめ放送番組情報の取得することを示すフローチャートである。
【図８】本発明の実施の形態において、録画しようとする番組の一例を示すタイムテーブルである。
【図９】本発明における他の実施の形態に記載の放送内容記録方法を示すフローチャートである。
【図１０】本発明における他の実施の形態に記載されている、録画しようとする番組の一例を示すタイムテーブルであって、録画中にチャンネルを変更した場合のタイムテーブルである。
【図１１】本発明における他の実施の形態において、図１０のタイムテーブルに従って録画したときの、記録媒体に記録されるファイルの内容を示す模式図である。
【図１２】従来の放送内容記録方法（番組録画方法）によって、複数の番組を記録した場合において、記録媒体に記録されるファイルの内容を示す模式図である。
【符号の説明】
１    放送内容記録装置
２    放送受信手段
３    記録手段
４    入力手段
５    出力放送特定手段
６    放送番組情報取得手段
７    放送番組情報蓄積手段
８    記録番組特定手段
９    番組終了検知手段
１０    制御手段
１１    チューニング手段
１２    映像信号再生手段
１３    音声信号再生手段
【図１】
2004260350.tif 000003
【図２】
2004260350.tif 000004
【図３】
2004260350.tif 000005
【図４】
2004260350.tif 000006
【図５】
2004260350.tif 000007
【図６】
2004260350.tif 000008
【図７】
2004260350.tif 000009
【図８】
2004260350.tif 000010
【図９】
2004260350.tif 000011
【図１０】
2004260350.tif 000012
【図１１】
2004260350.tif 000013
【図１２】
2004260350.tif 000014